(57)【要約】【課題】薄い形状を保持しつつ、電動でディスプレイ装置の姿勢、ひいては画像表示面の角度を変更することが可能なディスプレイ支持装置を提供する。【解決手段】ディスプレイ支持装置１００に、長手方向が平行となるように所定の間隔を空けて配置されるとともに壁２に固定される一対のガイド部材１１１Ｌ・１１１Ｒと、一対のガイド部材１１１Ｌ・１１１Ｒで挟まれる位置に配置されるとともに一対のガイド部材１１１Ｌ・１１１Ｒの長手方向に摺動する摺動部材１２０と、摺動部材１２０が一対のガイド部材１１１Ｌ・１１１Ｒに対して摺動するための駆動力を電動で発生する電動駆動ユニット１３０と、一対のガイド部材１１１Ｌ・１１１Ｒとディスプレイ装置１とを回動可能に連結する回動リンク機構１４０と、摺動部材１２０と回動リンク機構１４０とを連結することにより回動リンク機構１４０を動作させる駆動リンク機構１５０と、を具備した。【選択図】図１
2009147861.tif 000002
【特許請求の範囲】
【請求項１】
ディスプレイ装置を構造体に姿勢変更可能に支持するディスプレイ支持装置であって、
長手方向が平行となるように所定の間隔を空けて配置されるとともに前記ディスプレイ装置または前記構造体の一方に固定される一対のガイド部材と、
前記一対のガイド部材で挟まれる位置に配置されるとともに前記一対のガイド部材に係合しつつ前記一対のガイド部材の長手方向に摺動する摺動部材と、
前記摺動部材に固定されるとともに前記摺動部材が前記一対のガイド部材に対して摺動するための駆動力を電動で発生する電動駆動ユニットと、
前記一対のガイド部材と前記ディスプレイ装置または前記構造体の他方とを回動可能に連結する回動リンク機構と、
前記摺動部材と前記回動リンク機構とを連結することにより、前記一対のガイド部材に対する摺動部材の位置に応じて回動リンク機構を動作させる駆動リンク機構と、
を具備するディスプレイ支持装置。
【請求項２】
前記一対のガイド部材における前記摺動部材との対向面に前記一対のガイド部材の長手方向に延びた凹部を形成し、前記摺動部材における一対のガイド部材との対向面に前記凹部に係合しつつ摺動可能な凸部を形成する請求項１に記載のディスプレイ支持装置。
【請求項３】
前記一対のガイド部材における前記摺動部材との対向面に前記一対のガイド部材の長手方向に延びた凸部を形成し、前記摺動部材における一対のガイド部材との対向面に前記凸部に係合しつつ摺動可能な凹部を形成する請求項１に記載のディスプレイ支持装置。
【請求項４】
前記摺動部材は、
前記一対のガイド部材で挟まれる位置に配置される胴体部材と、
前記胴体部材に所定の間隔を空けて平行となるように固定される一対の棒部材と、
を有し、
前記一対の棒部材の先端部はそれぞれ前記一対のガイド部材に形成された長孔に摺動可能に貫装される請求項１に記載のディスプレイ支持装置。
【請求項５】
前記電動駆動ユニットは、
電力が供給されることにより駆動力を発生する電気式モータと、
前記一対のガイド部材の長手方向に平行に固定されるラックに噛合するとともに前記電気式モータが発生する駆動力により回転駆動される出力ギヤと、
を有する請求項１から請求項４までのいずれか一項に記載のディスプレイ支持装置。
【請求項６】
バッテリにより前記電気式モータに電力を供給する請求項５に記載のディスプレイ支持装置。
【請求項７】
前記バッテリを前記摺動部材または電動駆動ユニットに着脱可能に固定する請求項６に記載のディスプレイ支持装置。
【請求項８】
前記電動駆動ユニットの動作を遠隔操作可能とする請求項１から請求項７までのいずれか一項に記載のディスプレイ支持装置。
【請求項９】
前記一対のガイド部材を相対移動不能に固定するガイド固定部材を具備する請求項１から請求項８までのいずれか一項に記載のディスプレイ支持装置。
【請求項１０】
前記回動リンク機構は、
一端が前記一対のガイド部材に回動可能に連結され、他端が前記ディスプレイ装置または前記構造体の他方に回動可能に連結される回動アームを有し、
前記駆動リンク機構は、
一端が前記摺動部材に回動可能に連結されるとともに、他端が前記回動アームの中途部、または、前記回動アームと前記ディスプレイ装置または前記構造体の他方との連結部に回動可能に連結される駆動アームを有する請求項１から請求項９までのいずれか一項に記載のディスプレイ支持装置。
【請求項１１】
前記回動リンク機構は、
前記回動アームの他端に回動可能に連結されるとともに前記ディスプレイ装置または前記構造体の他方に固定される第一ブラケットと、
前記一対のガイド部材において前記回動アームと異なる位置に回動可能かつ摺動可能に連結されるとともに前記ディスプレイ装置または前記構造体の他方に固定される第二ブラケットと、
を有する請求項１０に記載のディスプレイ支持装置。
【請求項１２】
前記回動リンク機構は、
前記回動アームの他端に回動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に摺動可能に係合する第二ブラケットと、
を有する請求項１０に記載のディスプレイ支持装置。
【請求項１３】
前記回動リンク機構は、
前記回動アームの他端に回動可能かつ摺動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に固定される第二ブラケットと、
を有する請求項１０に記載のディスプレイ支持装置。
【請求項１４】
前記回動リンク機構は、
前記回動アームの他端に回動可能に連結されるとともに前記ディスプレイ装置または前記構造体の他方に摺動可能に係合する第一ブラケットと、
前記一対のガイド部材において前記回動アームと異なる位置に回動可能に連結されるとともに前記ディスプレイ装置または前記構造体の他方に固定される第二ブラケットと、
を有する請求項１０に記載のディスプレイ支持装置。
【請求項１５】
前記回動リンク機構は、
一端が前記一対のガイド部材に回動可能に連結される第一回動アームと、
一端が前記第一回動アームの他端に回動可能に連結されるとともに他端が前記ディスプレイ装置または前記構造体の他方に回動可能に連結される第二回動アームと、
を有し、
前記駆動リンク機構は、
一端が前記摺動部材に回動可能に連結されるとともに他端が前記第一回動アームの中途部、前記第一回動アームと第二回動アームとの回動連結部または前記第二回動アームの中途部に回動可能に連結される駆動アームを有する請求項１から請求項９までのいずれか一項に記載のディスプレイ支持装置。
【請求項１６】
前記回動リンク機構は、
前記第二回動アームの他端に回動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に固定される第二ブラケットと、
を有する請求項１５に記載のディスプレイ支持装置。
【請求項１７】
前記ディスプレイ装置の自重による前記回動リンク機構の動作に伴って前記摺動部材が摺動する方向の逆方向に前記摺動部材を付勢する摺動アシスト機構を具備する請求項１から請求項１６までのいずれか一項に記載のディスプレイ支持装置。
【請求項１８】
前記摺動アシスト機構は、
前記摺動部材と前記一対のガイド部材との間に介装されるスプリングを有する請求項１７に記載のディスプレイ支持装置。
【請求項１９】
前記摺動アシスト機構は、
回転軸により前記一対のガイド部材に回転可能に軸支されるとともに、前記回転軸からの距離が前記回転軸を中心とする回転角度により変化する第一端面および前記回転軸からの距離が前記回転軸を中心とする回転角度によらず等しい第二端面が形成されるプーリと、
一端が前記プーリに固定され、中途部が前記プーリの第一端面に巻回され、他端が前記ディスプレイ装置または前記構造体の他方に固定される第一紐状体と、
一端が前記プーリに固定され、中途部が前記プーリの第二端面に巻回される第二紐状体と、
一端が前記第二紐状体の他端に固定され、他端が前記一対のガイド部材に固定されるスプリングと、
を有する請求項１７に記載のディスプレイ支持装置。
【請求項２０】
前記プーリの第二端面は螺旋状に形成される請求項１９に記載のディスプレイ支持装置。
【発明の詳細な説明】
【技術分野】
【０００１】
本発明は、ディスプレイ装置を構造体に姿勢変更可能に支持するディスプレイ支持装置に関する。
【背景技術】
【０００２】
従来、テレビジョンやパーソナルコンピュータ用ディスプレイ等のディスプレイ装置を建物の壁や柱、あるいは建物の調度品（例えば、家電製品を収納する棚）等の構造体に姿勢変更可能に支持し、ひいてはディスプレイ装置の画像表示面の角度を変更可能に支持する技術は公知となっている。
【０００３】
上記ディスプレイ装置の画像表示面の角度を変更可能に支持する技術のうち、手動でディスプレイ装置の画像表示面の角度を変更する技術としては、特許文献１から特許文献４に記載の技術が知られている。
【０００４】
特許文献１に記載のチルトヒンジは、机等に固定される取付部材と、一端が取付部材に回動可能に連結されるとともに他端がモニターテレビに回動可能に連結される支持アームと、を具備するものである。
【０００５】
特許文献２に記載のテレビ取付装置は、一端が壁面に回動可能に連結される第一の棒、および一端が第一の棒の他端に回動可能に連結されるとともに他端が表示パネルに回動可能に連結される第二の棒を有するアームを複数具備するものである。
【０００６】
特許文献３に記載のディスプレイ装置用の画面角度調整装置は、壁面に取り付けられるベースプレートと、リフト手段を介してベースプレートに対して傾斜可能に取り付けられたリフトプレートと、回転機構を介してリフトプレートに取り付けられるとともにディスプレイ装置が取り付けられるサポートプレートと、を具備するものである。
【０００７】
特許文献４に記載の電気機器取付具は、壁に取り付けられる壁取付部材と、電気機器に取り付けられる機器取付部材と、壁取付部材および機器取付部材の間に介在して各部材に回動可能に連結されているリンク部材と、を備え、部材間の連結箇所のうち少なくとも一箇所には一方の部材に長孔を形成し、他方の部材には長孔を貫通する軸部材が備えられるものである。
【０００８】
近年のディスプレイ装置は薄型化（ディスプレイ装置の画像表示面に垂直な方向の厚みを小さくすること）が進み、これに伴って部屋の壁面等にディスプレイ装置を支持・固定するディスプレイ支持装置の薄型化が求められている。
【０００９】
また、近年のディスプレイ装置は画像表示面の大型化が進み、ディスプレイ装置の利用者がディスプレイ装置の画像表示面を遠くから見る傾向が強まっていること、および人間の手が届かない高い場所等にディスプレイ装置が設置される場合があることから、利用者がディスプレイ装置の画像表示面の角度を手動でなく、離れた位置から電動で変更可能とすることが求められる。
【００１０】
ディスプレイ装置の画像表示面の角度を電動で変更する場合、モータ等の駆動源およびモータにより発生した駆動力を伝達する機構等をディスプレイ支持装置に追加的に設ける必要が生じ、ディスプレイ支持装置を薄型化、あるいは小型化する上での障害となる。
【００１１】
ディスプレイ装置の画像表示面の角度を手動で変更する装置の多くは、（１）利用者がネジを緩める等の方法でディスプレイ装置の画像表示面の角度を保持した状態を解除し、（２）利用者がディスプレイ装置を手で持って動かすことによりディスプレイ装置の向きを変更し、（３）利用者がネジを締める等の方法でディスプレイ装置の画像表示面の角度を再度固定する、といった一連の動作により画像表示面の角度を変更する。
【００１２】
これに対して、ディスプレイ装置の画像表示面の角度を電動で変更する装置は通常、当該装置を構成する複数の部材のいずれかにモータの駆動力を作用させることにより画像表示面の角度を変更するため、画像表示面の角度の変更の態様が大きく異なる。
【００１３】
特許文献１から特許文献４に記載の技術を含む「手動でディスプレイ装置の画像表示面の角度を変更する技術」は、ディスプレイ装置の角度を電動で変更することを想定していない。
そのため、これらの技術とモータおよび駆動力を伝達する機構とをそのまま組み合わせるだけでは、ディスプレイ装置の画像表示面の角度を電動で変更可能とし、かつディスプレイ支持装置を薄型化することは困難である。
【００１４】
ディスプレイ装置の画像表示面の角度を電動で変更する技術としては、特許文献５および特許文献６に記載の技術が知られている。
【００１５】
特許文献５に記載のモニターの首振り機構は、モニターを上下方向および左右方向の少なくとも一方に首振り自在に支承する支承部材と、モニターを首振り中立位置に保持する保持部材と、シャーシ本体前面またはモニター背面のいずれか一方に設けられる円筒カムと、シャーシ本体前面またはモニター背面のいずれか他方に設けられるとともに円筒カムに当接する凸部を具備し、円筒カムまたは凸部を回転させて円筒カムと凸部とが当接する位置を変更することによりモニターを上下方向または左右方向に首振りさせるものである。
【００１６】
特許文献６に記載のモニターの首振り機構は、シャーシ本体に固定されるとともに前後方向に延びた一対のガイド溝が形成された固定板と、モニターに設けられて前記一対のガイド溝に嵌入される一対のガイドピンと、前記一対のガイド溝が嵌入される一対のカム溝が形成されるとともに前記固定板により左右方向に摺動可能に支持される摺動板を具備するものである。
【００１７】
しかし、特許文献５および特許文献６に記載の技術は、車載のモニター等、比較的画像表示面が小さいものに適した技術であり、これらの技術を大型テレビジョン等の大重量のディスプレイ装置の画像表示面の角度を変更する用途にそのまま適用することは困難である。
【特許文献１】特開平１１−３０３８５０号公報
【特許文献２】実用新案登録第３０６６６００号公報
【特許文献３】特許第３７０２１３２号公報
【特許文献４】特開２００７−１０８５２８号公報
【特許文献５】特開２０００−１１２３７４号公報
【特許文献６】特開２０００−１２２５６３号公報
【発明の開示】
【発明が解決しようとする課題】
【００１８】
本発明は以上の如き状況に鑑みてなされたものであり、薄い形状を保持しつつ、電動でディスプレイ装置の姿勢、ひいては画像表示面の角度を変更することが可能なディスプレイ支持装置を提供するものである。
【課題を解決するための手段】
【００１９】
本発明の解決しようとする課題は以上の如くであり、次にこの課題を解決するための手段を説明する。
【００２０】
即ち、請求項１においては、
ディスプレイ装置を構造体に姿勢変更可能に支持するディスプレイ支持装置であって、
長手方向が平行となるように所定の間隔を空けて配置されるとともに前記ディスプレイ装置または前記構造体の一方に固定される一対のガイド部材と、
前記一対のガイド部材で挟まれる位置に配置されるとともに前記一対のガイド部材に係合しつつ前記一対のガイド部材の長手方向に摺動する摺動部材と、
前記摺動部材に固定されるとともに前記摺動部材が前記一対のガイド部材に対して摺動するための駆動力を電動で発生する電動駆動ユニットと、
前記一対のガイド部材と前記ディスプレイ装置または前記構造体の他方とを回動可能に連結する回動リンク機構と、
前記摺動部材と前記回動リンク機構とを連結することにより、前記一対のガイド部材に対する摺動部材の位置に応じて回動リンク機構を動作させる駆動リンク機構と、
を具備するものである。
【００２１】
請求項２においては、
前記一対のガイド部材における前記摺動部材との対向面に前記一対のガイド部材の長手方向に延びた凹部を形成し、前記摺動部材における一対のガイド部材との対向面に前記凹部に係合しつつ摺動可能な凸部を形成するものである。
【００２２】
請求項３においては、
前記一対のガイド部材における前記摺動部材との対向面に前記一対のガイド部材の長手方向に延びた凸部を形成し、前記摺動部材における一対のガイド部材との対向面に前記凸部に係合しつつ摺動可能な凹部を形成するものである。
【００２３】
請求項４においては、
前記摺動部材は、
前記一対のガイド部材で挟まれる位置に配置される胴体部材と、
前記胴体部材に所定の間隔を空けて平行となるように固定される一対の棒部材と、
を有し、
前記一対の棒部材の先端部はそれぞれ前記一対のガイド部材に形成された長孔に摺動可能に貫装されるものである。
【００２４】
請求項５においては、
前記電動駆動ユニットは、
電力が供給されることにより駆動力を発生する電気式モータと、
前記一対のガイド部材の長手方向に平行に固定されるラックに噛合するとともに前記電気式モータが発生する駆動力により回転駆動される出力ギヤと、
を有するものである。
【００２５】
請求項６においては、
バッテリにより前記電気式モータに電力を供給するものである。
【００２６】
請求項７においては、
前記バッテリを前記摺動部材または電動駆動ユニットに着脱可能に固定するものである。
【００２７】
請求項８においては、
前記電動駆動ユニットの動作を遠隔操作可能とするものである。
【００２８】
請求項９においては、
前記一対のガイド部材を相対移動不能に固定するガイド固定部材を具備するものである。
【００２９】
請求項１０においては、
前記回動リンク機構は、
一端が前記一対のガイド部材に回動可能に連結され、他端が前記ディスプレイ装置または前記構造体の他方に回動可能に連結される回動アームを有し、
前記駆動リンク機構は、
一端が前記摺動部材に回動可能に連結されるとともに、他端が前記回動アームの中途部、または、前記回動アームと前記ディスプレイ装置または前記構造体の他方との連結部に回動可能に連結される駆動アームを有するものである。
【００３０】
請求項１１においては、
前記回動リンク機構は、
前記回動アームの他端に回動可能に連結されるとともに前記ディスプレイ装置または前記構造体の他方に固定される第一ブラケットと、
前記一対のガイド部材において前記回動アームと異なる位置に回動可能かつ摺動可能に連結されるとともに前記ディスプレイ装置または前記構造体の他方に固定される第二ブラケットと、
を有するものである。
【００３１】
請求項１２においては、
前記回動リンク機構は、
前記回動アームの他端に回動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に摺動可能に係合する第二ブラケットと、
を有するものである。
【００３２】
請求項１３においては、
前記回動リンク機構は、
前記回動アームの他端に回動可能かつ摺動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に固定される第二ブラケットと、
を有するものである。
【００３３】
請求項１４においては、
前記回動リンク機構は、
前記回動アームの他端に回動可能に連結されるとともに前記ディスプレイ装置または前記構造体の他方に摺動可能に係合する第一ブラケットと、
前記一対のガイド部材において前記回動アームと異なる位置に回動可能に連結されるとともに前記ディスプレイ装置または前記構造体の他方に固定される第二ブラケットと、
を有するものである。
【００３４】
請求項１５においては、
前記回動リンク機構は、
一端が前記一対のガイド部材に回動可能に連結される第一回動アームと、
一端が前記第一回動アームの他端に回動可能に連結されるとともに他端が前記ディスプレイ装置または前記構造体の他方に回動可能に連結される第二回動アームと、
を有し、
前記駆動リンク機構は、
一端が前記摺動部材に回動可能に連結されるとともに他端が前記第一回動アームの中途部、前記第一回動アームと第二回動アームとの回動連結部または前記第二回動アームの中途部に回動可能に連結される駆動アームを有するものである。
【００３５】
請求項１６においては、
前記回動リンク機構は、
前記第二回動アームの他端に回動可能に連結されるとともに前記ディスプレイ装置または前記構造体の他方に固定される第一ブラケットと、
前記一対のガイド部材において前記回動アームと異なる位置に回動可能に連結されるとともに前記ディスプレイ装置または前記構造体の他方に固定される第二ブラケットと、
を有するものである。
【００３６】
請求項１７においては、
前記ディスプレイ装置の自重による前記回動リンク機構の動作に伴って前記摺動部材が摺動する方向の逆方向に前記摺動部材を付勢する摺動アシスト機構を具備するものである。
【００３７】
請求項１８においては、
前記摺動アシスト機構は、
前記摺動部材と前記一対のガイド部材との間に介装されるスプリングを有するものである。
【００３８】
請求項１９においては、
前記摺動アシスト機構は、
回転軸により前記一対のガイド部材に回転可能に軸支されるとともに、前記回転軸からの距離が前記回転軸を中心とする回転角度により変化する第一端面および前記回転軸からの距離が前記回転軸を中心とする回転角度によらず等しい第二端面が形成されるプーリと、
一端が前記プーリに固定され、中途部が前記プーリの第一端面に巻回され、他端が前記ディスプレイ装置または前記構造体の他方に固定される第一紐状体と、
一端が前記プーリに固定され、中途部が前記プーリの第二端面に巻回される第二紐状体と、
一端が前記第二紐状体の他端に固定され、他端が前記一対のガイド部材に固定されるスプリングと、
を有するものである。
【００３９】
請求項２０においては、
前記プーリの第二端面は螺旋状に形成されるものである。
【発明の効果】
【００４０】
本発明は、薄い形状を保持しつつ、電動でディスプレイ装置の姿勢を変更することが可能である、という効果を奏する。
【発明を実施するための最良の形態】
【００４１】
以下では、図１から図６を用いて本発明に係るディスプレイ支持装置の実施の一形態であるディスプレイ支持装置１００について説明する。
図１および図５に示す如く、ディスプレイ支持装置１００はディスプレイ装置１を壁２に姿勢変更可能に支持する装置である。
なお、以下では便宜上、重力が作用する方向を「上下方向」、上下方向に垂直な方向であってディスプレイ支持装置１００により壁２に支持されたディスプレイ装置１の画像表示面１ａが正面を向いた姿勢においてディスプレイ装置１の画像表示面１ａに垂直な方向を「前後方向」、上下方向に垂直かつ前後方向に垂直な方向を「左右方向」と定義し、これらの方向を用いて説明を行うものとする。
【００４２】
「ディスプレイ装置」は画像を表示可能な装置を指す。ディスプレイ装置の具体例としては、ブラウン管方式、プラズマ方式、液晶方式、あるいは有機ＥＬ（Ｏｒｇａｎｉｃ  Ｅｌｅｃｔｒｏ−Ｌｕｍｉｎｅｓｃｅｎｃｅ）方式等の種々の方式のテレビジョン、パーソナルコンピュータ用のディスプレイ（ＣＲＴ、液晶ディスプレイ等）が挙げられる。
本実施形態のディスプレイ支持装置１００はディスプレイ装置１を壁２に支持する構成としたが、本発明に係るディスプレイ支持装置はこれに限定されず、ディスプレイ装置を構造体に支持する用途に広く適用可能である。
「構造体」の例としては、建物の構成要素（例えば壁、柱、天井、床等）、家具その他の調度品（例えば、テレビジョン、ＤＶＤレコーダ等のＡＶ機器を収納する棚）、ディスプレイ装置を床面あるいは地面に自立させるためのスタンド等が挙げられる。
【００４３】
図１、図２、図３および図４に示す如く、ディスプレイ支持装置１００は主としてメインフレーム１１０、摺動部材１２０、電動駆動ユニット１３０、回動リンク機構１４０、駆動リンク機構１５０、バッテリ１６０、モータ制御装置１７０、リモートコントローラ１８０、摺動アシスト機構１９０を具備する。
【００４４】
メインフレーム１１０はディスプレイ支持装置１００の主たる構造体であり、主としてガイド部材１１１Ｌ・１１１Ｒ、ガイド固定部材１１２・１１３、ラック固定部材１１４およびラック１１５を有する。
【００４５】
一対のガイド部材１１１Ｌ・１１１Ｒは本発明に係る一対のガイド部材の実施の一形態である。
本実施形態のガイド部材１１１Ｌ・１１１Ｒは金属板を曲折することにより製造される一側面が開口した角筒状の部材（断面が「コ」の字状の部材）である。
一対のガイド部材１１１Ｌ・１１１Ｒはその長手方向が互いに平行となるように所定の間隔を空けて配置される。一対のガイド部材１１１Ｌ・１１１Ｒの長手方向は上下方向に一致し、後方に向かって開口している。
ガイド部材１１１Ｌの右側面および左側面にはそれぞれガイド部材１１１Ｌの長手方向（本実施形態の場合、上下方向）に延びた長孔１１６・１１６が形成される。同様に、ガイド部材１１１Ｒの右側面および左側面にはそれぞれガイド部材１１１Ｒの長手方向（本実施形態の場合、上下方向）に延びた長孔１１７・１１７が形成される。
【００４６】
ガイド固定部材１１２・１１３は本発明に係るガイド固定部材の実施の一形態であり、一対のガイド部材１１１Ｌ・１１１Ｒを相対移動不能に固定する。
ガイド固定部材１１２・１１３はいずれも金属板を曲折することにより製造される左右方向に延びた形状の部材である。
ガイド固定部材１１２の左端部は溶接によりガイド部材１１１Ｌの上端部に固定される。
ガイド固定部材１１２の右端部は溶接によりガイド部材１１１Ｒの上端部に固定される。
ガイド固定部材１１３の左端部は溶接によりガイド部材１１１Ｌの下端部に固定される。
ガイド固定部材１１３の右端部は溶接によりガイド部材１１１Ｒの下端部に固定される。
従って、一対のガイド部材１１１Ｌ・１１１Ｒおよびガイド固定部材１１２・１１３を合わせたものは正面視で額縁状となり、ガイド部材１１１Ｌとガイド部材１１１Ｒとはガイド固定部材１１２・１１３を介して相対移動不能に固定される。
なお、本実施形態では一対のガイド部材１１１Ｌ・１１１Ｒおよびガイド固定部材１１２・１１３を別体とし、これらを溶接により相互に固定する構成としたが、本発明はこれに限定されず、一対のガイド部材およびガイド固定部材を別の方法（例えば、ボルト締結）により固定する構成としても良い。また、一対のガイド部材およびガイド固定部材を別体とせず、一体的に成形しても良い。
【００４７】
ラック固定部材１１４は後述するラック１１５を一対のガイド部材１１１Ｌ・１１１Ｒに固定するための部材である。
本実施形態のラック固定部材１１４は金属板を曲折することにより製造される断面Ｌ字形かつ上下方向に延びた形状の部材である。
ラック固定部材１１４の上端部は溶接によりガイド固定部材１１２の中途部に固定される。ラック固定部材１１４の下端部は溶接によりガイド固定部材１１３の中途部に固定される。
【００４８】
ラック１１５は本発明に係るラックの実施の一形態であり、その長手方向に沿って並んだ複数の歯を有する棒状の部材である。ラック１１５はラック固定部材１１４に固定される。ラック固定部材１１４はガイド固定部材１１２・１１３に固定されているので、ラック１１５は実質的には一対のガイド部材１１１Ｌ・１１１Ｒに固定される。
ラック１１５は一対のガイド部材１１１Ｌ・１１１Ｒの長手方向に平行に固定される。言い換えれば、ラック１１５の長手方向は一対のガイド部材１１１Ｌ・１１１Ｒの長手方向（本実施形態では、上下方向）に一致する。
【００４９】
図５に示す如く、壁２にはレール部材３・４が予めボルト締結により固定されており、ガイド固定部材１１２・１１３はそれぞれレール部材３・４に係合される。
レール部材３・４には適宜ネジ孔（不図示）が形成され、ガイド固定部材１１２・１１３には適宜貫通孔（不図示）が形成される。
ガイド固定部材１１２・１１３がレール部材３・４に係合した状態でメインフレーム１１０（ひいては、ディスプレイ装置１に取り付けられたディスプレイ支持装置１００）を左右方向に摺動させ、レール部材３・４に形成されたネジ孔とガイド固定部材１１２・１１３に形成された貫通孔とが重なった状態とし、次いで当該貫通孔にネジを貫装するとともに当該ネジ孔に螺装することにより、メインフレーム１１０ひいてはガイド部材１１１Ｌ・１１１Ｒが壁２に固定される。
【００５０】
摺動部材１２０は本発明に係る摺動部材の実施の一形態であり、一対のガイド部材１１１Ｌ・１１１Ｒで挟まれる位置に配置されるとともに一対のガイド部材１１１Ｌ・１１１Ｒに係合しつつ一対のガイド部材１１１Ｌ・１１１Ｒの長手方向（本実施形態では、上下方向）に摺動する部材である。
摺動部材１２０は主として胴体部材１２１および一対の摺動バー１２２・１２３を有する。
【００５１】
胴体部材１２１は本発明に係る胴体部材の実施の一形態であり、摺動部材１２０の主たる構造体を成す板状の部材である。
胴体部材１２１は金属板を曲折することにより製造される正面視略矩形の板状の部材であり、一対のガイド部材１１１Ｌ・１１１Ｒで挟まれる位置に配置される。
なお、本実施形態の胴体部材１２１は左右の端部を曲折した形状であるが、ディスプレイ支持装置１００を薄型化する観点から、側面視で一対のガイド部材１１１Ｌ・１１１Ｒよりも前方または後方に突出しないように（胴体部材１２１の前後方向の厚さがガイド部材１１１Ｌ・１１１Ｒの前後方向の厚さ以下となるように）胴体部材１２１の形状が定められる。
【００５２】
一対の摺動バー１２２・１２３は本発明に係る一対の棒部材の実施の一形態である。
本実施形態の摺動バー１２２・１２３は金属製の丸棒からなる。
一対の摺動バー１２２・１２３はその長手方向がいずれも左右方向に一致し、かつ上下方向に所定の間隔を空けて胴体部材１２１に固定される。より詳細には、摺動バー１２２の左右略中央部は溶接により胴体部材１２１の上端部に固定され、摺動バー１２３の左右略中央部は溶接により胴体部材１２１の下端部に固定される。
その結果、一対の摺動バー１２２・１２３の長手方向は互いに平行となる。
【００５３】
一対の摺動バー１２２・１２３の左端部はそれぞれガイド部材１１１Ｌに形成された長孔１１６・１１６に貫装される。長孔１１６・１１６に貫装された一対の摺動バー１２２・１２３は、長孔１１６・１１６に沿って長孔１１６・１１６の長手方向に摺動可能である。
同様に、一対の摺動バー１２２・１２３の右端部はそれぞれガイド部材１１１Ｒに形成された長孔１１７・１１７に貫装される。長孔１１７・１１７に貫装された一対の摺動バー１２２・１２３は、長孔１１７・１１７に沿って長孔１１７・１１７の長手方向に摺動可能である。
【００５４】
摺動バー１２２・１２３の中途部にはＥリング１２４・１２４・・・が適宜外嵌される。Ｅリング１２４・１２４・・・がガイド部材１１１Ｌ・１１１Ｒの左右側面に当接することにより、摺動部材１２０の左右方向への移動が規制される。
その結果、摺動バー１２２・１２３が長孔１１６・１１６および長孔１１７・１１７に貫装された状態から脱落することが防止される。
【００５５】
電動駆動ユニット１３０は本発明に係る電動駆動ユニットの実施の一形態であり、摺動部材１２０が一対のガイド部材１１１Ｌ・１１１Ｒに対して摺動するための駆動力を電動で付与するものである。
図４に示す如く、電動駆動ユニット１３０は主としてケース１３１、電気式モータ１３２、ウォームギヤ１３３、第一減速ギヤ１３６、第二減速ギヤ１３７および出力ギヤ１３８を有する。
【００５６】
ケース１３１は電動駆動ユニット１３０を構成する他の部材を収容する。本実施形態のケース１３１は樹脂材料を射出成形することにより製造される。ケース１３１はボルト締結により胴体部材１２１の前面に固定される（図３参照）。
【００５７】
電気式モータ１３２は本発明に係る電気式モータの実施の一形態であり、電力が供給されることにより駆動力を発生するモータである。
電気式モータ１３２の本体はケース１３１の内部に固定される。
【００５８】
ウォームギヤ１３３はウォーム１３４およびウォームホイール１３５を有する。
ウォーム１３４は外周面に螺旋状の歯１３４ａが形成された略円柱形状の部材であり、ケース１３１の内部に配置される。ウォーム１３４の一端は電気式モータ１３２の回転駆動軸に固定され、ウォーム１３４の他端はケース１３１に回転可能に軸支される。
ウォームホイール１３５は直径の異なる二つの円盤を同心で（中心軸が一致するように）重ねた形状の部材である。ウォームホイール１３５はケース１３１の内部に配置され、ケース１３１に回転可能に軸支される。
ウォームホイール１３５の大きい方の円盤の外周面には歯１３５ａが形成され、小さい方の円盤の外周面には歯１３５ｂが形成される。
ウォームホイール１３５の歯１３５ａはウォーム１３４の歯１３４ａに噛合する。
【００５９】
第一減速ギヤ１３６は直径の異なる二つの円盤を同心で（中心軸が一致するように）重ねた形状の平歯車である。第一減速ギヤ１３６はケース１３１の内部に配置され、ケース１３１に回転可能に軸支される。
第一減速ギヤ１３６の大きい円盤の外周面には歯１３６ａが形成され、第一減速ギヤ１３６の小さい円盤の外周面には歯１３６ｂが形成される。
第一減速ギヤ１３６の歯１３６ａはウォームホイール１３５の歯１３５ｂに噛合する。
【００６０】
第二減速ギヤ１３７は直径の異なる二つの円盤を同心で（中心軸が一致するように）重ねた形状の平歯車である。第二減速ギヤ１３７はケース１３１の内部に配置され、ケース１３１に回転可能に軸支される。
第二減速ギヤ１３７の大きい円盤の外周面には歯１３７ａが形成され、第二減速ギヤ１３７の小さい円盤の外周面には歯１３７ｂが形成される。
第二減速ギヤ１３７の歯１３７ａは第一減速ギヤ１３６の歯１３６ｂに噛合する。
【００６１】
出力ギヤ１３８は本発明に係る出力ギヤの実施の一形態であり、ラック１１５に噛合するとともに電気式モータ１３２が発生する駆動力により回転駆動される。
本実施形態の出力ギヤ１３８は直径の異なる二つの円盤を同心で（中心軸が一致するように）重ねた形状の平歯車である。出力ギヤ１３８はケース１３１に回転可能に軸支される。
出力ギヤ１３８の大きい円盤の外周面には歯１３８ａが形成され、出力ギヤ１３８の小さい円盤の外周面には歯１３８ｂが形成される。
ケース１３１には開口部１３１ａが形成され、出力ギヤ１３８の大きい円盤の外周面の一部（歯１３８ａの一部）は開口部１３１ａからケース１３１の外部に突出している。
出力ギヤ１３８の歯１３８ｂは第二減速ギヤ１３７の歯１３７ｂに噛合する。
出力ギヤ１３８の歯１３８ａは、開口部１３１ａからケース１３１の外部に突出している部分においてラック１１５に形成された歯に噛合する（図３参照）。
【００６２】
回動リンク機構１４０は本発明に係る回動リンク機構の実施の一形態であり、一対のガイド部材１１１Ｌ・１１１Ｒとディスプレイ装置１とを回動可能に連結するものである。
図２および図３に示す如く、回動リンク機構１４０は主として回動アーム１４１Ｌ・１４１Ｒ、第一ブラケット１４２Ｌ・１４２Ｒ、第二ブラケット１４３Ｌ・１４３Ｒを有する。
【００６３】
回動アーム１４１Ｌ・１４１Ｒは本発明に係る回動アームの実施の一形態である。本実施形態の回動アーム１４１Ｌ・１４１Ｒは細長い形状に切断された金属板を曲折することにより製造される部材である。
回動アーム１４１Ｌの一端はピン１４４Ｌによりガイド部材１１１Ｌの右側面の上部に回動可能に連結される。
回動アーム１４１Ｒの一端はピン１４４Ｒによりガイド部材１１１Ｒの左側面の上部に回動可能に連結される。
【００６４】
第一ブラケット１４２Ｌ・１４２Ｒは本発明に係る第一ブラケットの実施の一形態である。本実施形態の第一ブラケット１４２Ｌ・１４２Ｒは細長い形状に切断された金属板をＬ字形に曲折することにより製造される部材である。
第一ブラケット１４２Ｌはピン１４５Ｌにより回動アーム１４１Ｌの他端に回動可能に連結されるとともに、ディスプレイ装置１の背面に固定される。
第一ブラケット１４２Ｒはピン１４５Ｒにより回動アーム１４１Ｒの他端に回動可能に連結されるとともに、ディスプレイ装置１の背面に固定される。
【００６５】
第二ブラケット１４３Ｌ・１４３Ｒは本発明に係る第二ブラケットの実施の一形態である。本実施形態の第二ブラケット１４３Ｌ・１４３Ｒは細長い形状に切断された金属板をＬ字形に曲折することにより製造される部材である。
【００６６】
第二ブラケット１４３Ｌの一端はピン１４６Ｌによりガイド部材１１１Ｌの右側面の下部に回動可能かつ摺動可能に連結される。より詳細には、ガイド部材１１１Ｌの右側面の下部にガイド部材１１１Ｌの長手方向に延びた長孔１１８Ｌが形成され、ピン１４６Ｌが第二ブラケット１４３Ｌに形成された貫通孔および長孔１１８Ｌに貫装される。
第二ブラケット１４３Ｌの他端はディスプレイ装置１の背面に固定される。
【００６７】
第二ブラケット１４３Ｒの一端はピン１４６Ｒによりガイド部材１１１Ｒの左側面の下部に回動可能かつ摺動可能に連結される。より詳細には、ガイド部材１１１Ｒの左側面の下部にガイド部材１１１Ｒの長手方向に延びた長孔１１８Ｒが形成され、ピン１４６Ｒが第二ブラケット１４３Ｒに形成された貫通孔および長孔１１８Ｒに貫装される。
第二ブラケット１４３Ｒの他端はディスプレイ装置１の背面に固定される。
【００６８】
駆動リンク機構１５０は本発明に係る駆動リンク機構の実施の一形態であり、摺動部材１２０と回動リンク機構１４０とを連結することにより、一対のガイド部材１１１Ｌ・１１１Ｒに対する摺動部材の位置に応じて回動リンク機構１４０を動作させるものである。
駆動リンク機構１５０は駆動アーム１５０Ｌ・１５０Ｒを有する。
【００６９】
駆動アーム１５０Ｌ・１５０Ｒは本発明に係る駆動アームの実施の一形態である。
本実施形態の駆動アーム１５０Ｌ・１５０Ｒは細長い形状に切断された金属板を曲折することにより製造される部材である。
【００７０】
駆動アーム１５０Ｌの一端は摺動部材１２０、より詳細には摺動バー１２３においてガイド部材１１１Ｌの右側面よりもやや右側となる位置に回動可能に連結される。
駆動アーム１５０Ｌの他端はピン１４５Ｌにより回動アーム１４１Ｌの他端に回動可能に連結される。
【００７１】
駆動アーム１５０Ｒの一端は摺動部材１２０、より詳細には摺動バー１２３においてガイド部材１１１Ｒの左側面よりもやや左側となる位置に回動可能に連結される。
駆動アーム１５０Ｒの他端はピン１４５Ｒにより回動アーム１４１Ｒの他端に回動可能に連結される。
【００７２】
図４に示すバッテリ１６０は本発明に係るバッテリの実施の一形態であり、予め蓄えた電力を接続された機器等に供給するものである。バッテリ１６０は電気式モータ１３２に接続され、電気式モータ１３２に電力を供給する。
バッテリ１６０の具体例としては市販の乾電池あるいは充電池等が挙げられる。
【００７３】
本実施形態ではバッテリ１６０を摺動部材１２０に着脱可能に固定する構成としたが、例えばバッテリ１６０を電動駆動ユニット１３０のケース１３１に着脱可能に固定する構成としても良く、バッテリ１６０をケース１３１の内部に収容する構成としても良く、一対のガイド部材１１１Ｌ・１１１Ｒのいずれか一方（あるいは両方）に固定する構成としても良い。
このように構成することにより、電気式モータ１３２とバッテリ１６０とを電気的に接続する配線がディスプレイ支持装置１００の外部に大きくはみ出ることが無く、美観上も優れている。
【００７４】
図４に示すモータ制御装置１７０は電気式モータ１３２とバッテリ１６０とを接続する配線の中途部に設けられ、当該配線の接続状態を切り替えることにより電気式モータ１３２の回転方向を切り替えるものである。
モータ制御装置１７０は、（ａ）バッテリ１６０からの電力供給により電気式モータ１３２の回転駆動軸が正方向に回転する（正転する）状態、（ｂ）バッテリ１６０からの電力供給により電気式モータ１３２の回転駆動軸が逆方向に回転する（逆転する）状態、および（ｃ）バッテリ１６０から電気式モータ１３２に電力が供給されない状態、の三つの状態のいずれかに切り替えることが可能なスイッチング素子と、当該スイッチング素子を無線で受信した信号に基づいて動作させる無線受信装置と、を有する。
モータ制御装置１７０はバッテリ１６０の電力の一部を上記スイッチング素子および無線受信装置の動作に利用する。
モータ制御装置１７０は専用品でも良いが、市販のスイッチング素子および無線受信装置を組み合わせて達成しても良い。
【００７５】
図４に示すリモートコントローラ１８０は無線でモータ制御装置１７０の動作（電気式モータ１３２の回転方向の切り替え）を操作するものである。リモートコントローラ１８０には上向き回動ボタン１８１および下向き回動ボタン１８２が設けられる。
【００７６】
図２に示す摺動アシスト機構１９０は本発明に係る摺動アシスト機構の実施の一形態であり、ディスプレイ装置１の自重による回動リンク機構１４０の動作に伴って摺動部材１２０が摺動する方向の逆方向（本実施形態の場合、ガイド部材１１１Ｌ・１１１Ｒにおいてガイド固定部材１１３に接近する方向である下向き）に摺動部材１２０を付勢するものである。摺動アシスト機構１９０はスプリング１９１Ｌ・１９１Ｒを有する。
【００７７】
スプリング１９１Ｌは金属製の巻きバネであり、摺動部材１２０とガイド部材１１１Ｌとの間に介装される。
より詳細には、スプリング１９１Ｌはガイド部材１１１Ｌの右側面、左側面および前面で囲まれる位置に配置され、スプリング１９１Ｌの一端が摺動バー１２３に係止されるとともに、スプリング１９１Ｌの他端がガイド部材１１１Ｌの下部に固定される。
その結果、スプリング１９１Ｌは摺動部材１２０を下向きに付勢する。
【００７８】
スプリング１９１Ｒは金属製の巻きバネであり、摺動部材１２０とガイド部材１１１Ｒとの間に介装される。
より詳細には、スプリング１９１Ｒはガイド部材１１１Ｒの右側面、左側面および前面で囲まれる位置に配置され、スプリング１９１Ｒの一端が摺動バー１２３に係止されるとともに、スプリング１９１Ｒの他端がガイド部材１１１Ｒの下部に固定される。
その結果、スプリング１９１Ｒは摺動部材１２０を下向きに付勢する。
【００７９】
以下では、図４、図５および図６を用いてディスプレイ支持装置１００の動作（ディスプレイ装置１の画像表示面１ａの角度の変更）について説明する。
【００８０】
図４に示す如く、利用者がリモートコントローラ１８０の上向き回動ボタン１８１および下向き回動ボタン１８２のいずれも押していないとき、並びに上向き回動ボタン１８１および下向き回動ボタン１８２を同時に押しているとき、リモートコントローラ１８０はモータ制御装置１７０に信号を送信せず、モータ制御装置１７０は上記（ｃ）の状態に保持され、電気式モータ１３２は回転しない（電気式モータ１３２は停止している）。
その結果、ディスプレイ支持装置１００により支持されるディスプレイ装置１の姿勢は変化せず、ディスプレイ装置１の画像表示面１ａの角度も変化しない。
【００８１】
図４に示す如く、利用者がリモートコントローラ１８０の上向き回動ボタン１８１を押すと、リモートコントローラ１８０は電気式モータ１３２を正転させるための信号（正転信号）をモータ制御装置１７０に送信する。
【００８２】
モータ制御装置１７０がリモートコントローラ１８０からの正転信号を受信することにより、モータ制御装置１７０は上記（ｃ）の状態から（ａ）の状態に切り替わり、バッテリ１６０から電気式モータ１３２に電力が供給され、電気式モータ１３２の回転駆動軸が正転し、駆動力が発生する。
【００８３】
電気式モータ１３２が正転して駆動力が発生すると、当該駆動力がウォームギヤ１３３、第一減速ギヤ１３６および第二減速ギヤ１３７を経て出力ギヤ１３８に伝達され、出力ギヤ１３８が正方向に回転駆動される。
図３に示す如く、出力ギヤ１３８の歯１３８ａはラック１１５に形成された歯に噛合し、ラック１１５はラック固定部材１１４を介してメインフレーム１１０（ひいてはガイド部材１１１Ｌ・１１１Ｒ）に固定される。
そのため、出力ギヤ１３８が正方向に回転駆動されると、電動駆動ユニット１３０および摺動部材１２０がガイド部材１１１Ｌ・１１１Ｒの長手方向のうちガイド固定部材１１３に接近する方向、すなわち下方に摺動する。
【００８４】
図５に示す如く、電動駆動ユニット１３０および摺動部材１２０が下方に摺動することにより回動リンク機構１４０が動作し、ディスプレイ装置１が上方に回動する（右側面視で反時計回りに回動する）。
より詳細には、電動駆動ユニット１３０および摺動部材１２０が下方に摺動することにより、駆動アーム１５０Ｌ・１５０Ｒが下方に引き寄せられ、これらに回動可能に連結される回動アーム１４１Ｌ・１４１Ｒが下方に回動し（右側面視で時計回りに回動し）、第二ブラケット１４３Ｌ・１４３Ｒがそれぞれ長孔１１８Ｌ・１１８Ｒに沿って下方に摺動しつつ上方に回動する（右側面視で反時計回りに回動する）、という一連の動作が行われ、ディスプレイ装置１が上方に回動する（右側面視で反時計回りに回動する）。
【００８５】
図４に示す如く、利用者がリモートコントローラ１８０の下向き回動ボタン１８２を押すと、リモートコントローラ１８０は電気式モータ１３２を逆転させるための信号（逆転信号）をモータ制御装置１７０に送信する。
【００８６】
モータ制御装置１７０がリモートコントローラ１８０からの逆転信号を受信することにより、モータ制御装置１７０は上記（ｃ）の状態から（ｂ）の状態に切り替わり、バッテリ１６０から電気式モータ１３２に電力が供給され、電気式モータ１３２の回転駆動軸が逆転し、駆動力が発生する。
【００８７】
電気式モータ１３２が逆転して駆動力が発生すると、当該駆動力がウォームギヤ１３３、第一減速ギヤ１３６および第二減速ギヤ１３７を経て出力ギヤ１３８に伝達され、出力ギヤ１３８が逆方向に回転駆動される。
出力ギヤ１３８が逆方向に回転駆動されると、電動駆動ユニット１３０および摺動部材１２０がガイド部材１１１Ｌ・１１１Ｒの長手方向のうちガイド固定部材１１２に接近する方向、すなわち上方に摺動する。
【００８８】
図６に示す如く、電動駆動ユニット１３０および摺動部材１２０が上方に摺動することにより回動リンク機構１４０が動作し、ディスプレイ装置１が下方に回動する（右側面視で時計回りに回動する）。
より詳細には、電動駆動ユニット１３０および摺動部材１２０が上方に摺動することにより、駆動アーム１５０Ｌ・１５０Ｒが上方に押し上げられ、これらに回動可能に連結される回動アーム１４１Ｌ・１４１Ｒが上方に回動し（右側面視で反時計回りに回動し）、第二ブラケット１４３Ｌ・１４３Ｒがそれぞれ長孔１１８Ｌ・１１８Ｒに沿って上方に摺動しつつ下方に回動する（右側面視で時計回りに回動する）、という一連の動作が行われ、ディスプレイ装置１が下方に回動する（右側面視で時計回りに回動する）。
【００８９】
このように、駆動アーム１５０Ｌ・１５０Ｒが摺動部材１２０と回動リンク機構１４０とを連結する（本実施形態では回動可能に連結する）ことにより、一対のガイド部材１１１Ｌ・１１１Ｒに対する摺動部材１２０の位置に応じて回動リンク機構１４０が動作し、ディスプレイ装置１の姿勢（ディスプレイ装置１の画像表示面１ａの角度）が変化する。
【００９０】
以上の如く、ディスプレイ支持装置１００は、
ディスプレイ装置１を壁２に姿勢変更可能に支持するものであって、
長手方向が平行となるように所定の間隔を空けて配置されるとともにディスプレイ装置１または壁２の一方（本実施形態では壁２）に固定される一対のガイド部材１１１Ｌ・１１１Ｒと、
一対のガイド部材１１１Ｌ・１１１Ｒで挟まれる位置に配置されるとともに一対のガイド部材１１１Ｌ・１１１Ｒに係合しつつ一対のガイド部材１１１Ｌ・１１１Ｒの長手方向に摺動する摺動部材１２０と、
摺動部材１２０に固定されるとともに摺動部材１２０が一対のガイド部材１１１Ｌ・１１１Ｒに対して摺動するための駆動力を電動で発生する電動駆動ユニット１３０と、
一対のガイド部材１１１Ｌ・１１１Ｒとディスプレイ装置１または壁２の他方（本実施形態ではディスプレイ装置１）とを回動可能に連結する回動リンク機構１４０と、
摺動部材１２０と回動リンク機構１４０とを連結することにより、一対のガイド部材１１１Ｌ・１１１Ｒに対する摺動部材１２０の位置に応じて回動リンク機構１４０を動作させる駆動リンク機構１５０と、
を具備する。
このように構成することは、以下の利点を有する。
すなわち、（Ａ）ディスプレイ支持装置１００は支持の対象であるディスプレイ装置１の姿勢（ひいてはディスプレイ装置１の画像表示面１ａの角度）を電動で変更するための駆動力を発生する電動駆動ユニット１３０および当該駆動力により最初に動作する部材である摺動部材１２０を一対のガイド部材１１１Ｌ・１１１Ｒで挟まれる位置に配置するとともに、（Ｂ）電動駆動ユニット１３０および摺動部材１２０の摺動方向が一対のガイド部材１１１Ｌ・１１１Ｒの長手方向に一致するので、一対のガイド部材１１１Ｌ・１１１Ｒのそれぞれの長手方向を含む仮想平面に垂直な方向（本実施形態では前後方向）におけるディスプレイ支持装置１００の厚さを抑える、ひいてはディスプレイ支持装置１００を薄型化することが可能である。
【００９１】
本実施形態では一対のガイド部材１１１Ｌ・１１１Ｒを壁２に固定するとともに回動リンク機構１４０をディスプレイ装置１に回動可能に固定する構成としたが、本発明はこれに限定されず、一対のガイド部材をディスプレイ装置に固定するとともに回動リンク機構を構造体に回動可能に固定する構成としても良い。
【００９２】
本実施形態ではディスプレイ支持装置１００はディスプレイ装置１の姿勢（ディスプレイ装置１の画像表示面１ａの角度）を上下方向に変更する構成としたが、本発明はこれに限定されない。
例えば、ディスプレイ支持装置１００を壁２に垂直な軸を中心として９０°回転させた状態で壁２に固定することにより、ディスプレイ装置１の姿勢（ディスプレイ装置１の画像表示面１ａの角度）を左右方向に変更する構成としても良い。
【００９３】
また、ディスプレイ支持装置１００の摺動部材１２０は、
一対のガイド部材１１１Ｌ・１１１Ｒで挟まれる位置に配置される胴体部材１２１と、
胴体部材１２１に所定の間隔を空けて平行となるように固定される一対の摺動バー１２２・１２３と、
を有し、
一対の摺動バー１２２・１２３の先端部はそれぞれ一対のガイド部材１１１Ｌ・１１１Ｒに形成された長孔１１６・１１６・１１７・１１７に摺動可能に貫装される。
このように構成することにより、摺動部材１２０の構造を簡素にすることが可能であり、摺動部材１２０を容易に製造することが可能である。
【００９４】
本実施形態の摺動部材１２０は胴体部材１２１と一対の摺動バー１２２・１２３とを有し、一対の摺動バー１２２・１２３の先端部はそれぞれ長孔１１６・１１６・１１７・１１７に摺動可能に貫装されるが、本発明はこれに限定されない。
すなわち、（ｉ）一対のガイド部材における摺動部材との対向面に一対のガイド部材の長手方向に延びた凹部を形成し、摺動部材における一対のガイド部材との対向面に当該凹部に係合しつつ摺動可能な凸部を形成しても良く、（ｉｉ）一対のガイド部材における摺動部材との対向面に一対のガイド部材の長手方向に延びた凸部を形成し、摺動部材における一対のガイド部材との対向面に当該凸部に係合しつつ摺動可能な凹部を形成しても良い。
【００９５】
また、ディスプレイ支持装置１００の電動駆動ユニット１３０は、
電力が供給されることにより駆動力を発生する電気式モータ１３２と、
一対のガイド部材１１１Ｌ・１１１Ｒの長手方向に平行に固定されるラック１１５に噛合するとともに電気式モータ１３２が発生する駆動力により回転駆動される出力ギヤ１３８と、
を有する。
このように構成することにより、電動駆動ユニット１３０を簡素な構造とすることが可能である。また、ラック１１５は一対のガイド部材１１１Ｌ・１１１Ｒの長手方向に平行に固定されるので、ディスプレイ支持装置１００の薄型化に寄与する。
【００９６】
また、ディスプレイ支持装置１００は、
バッテリ１６０により電気式モータ１３２に電力を供給する。
このように構成することにより、電気式モータ１３２と電力を供給するためのコンセントとを着脱可能に接続する配線（電気コード）を省略することが可能である。
また、電力を供給するためのコンセントを省略することにより、ディスプレイ支持装置１００の外部から当該配線が見えることが無く、ディスプレイ支持装置１００の美観を向上することが可能である。
【００９７】
また、ディスプレイ支持装置１００は、
バッテリ１６０を摺動部材１２０または電動駆動ユニット１３０に着脱可能に固定する。
このように構成することにより、バッテリ１６０を電動駆動ユニット１３０（電気式モータ１３２）の近傍に配置することが可能であるとともにバッテリ１６０は電動駆動ユニット１３０と相対的に移動しないので、バッテリ１６０からの電力を電気式モータ１３２に供給するための配線（電気コード）を短くすることが可能である。
また、当該配線を短くすることにより、ディスプレイ支持装置１００の外部に当該配線が大きくはみ出ることが無く、ディスプレイ支持装置１００の美観を向上することが可能である。
【００９８】
また、ディスプレイ支持装置１００は、
電動駆動ユニット１３０の動作を遠隔操作可能とする。
このように構成することにより、利用者がディスプレイ装置１に近づかなくてもディスプレイ装置１の姿勢（ディスプレイ装置１の画像表示面１ａの角度）を変更することが可能である。
特に、ディスプレイ装置１が利用者の手が届かない位置に支持される場合に便利である。
【００９９】
本実施形態ではリモートコントローラ１８０を操作する（上向き回動ボタン１８１または下向き回動ボタン１８２を押す）ことにより無線でディスプレイ装置１の姿勢を変更する構成としたが、リモートコントローラ１８０とモータ制御装置１７０とを配線で接続し、当該配線を通じて（有線で）モータ制御装置１７０に正転信号および逆転信号を送信する構成としても良い。
【０１００】
本実施形態ではリモートコントローラ１８０はディスプレイ支持装置１００、より詳細には電気式モータ１３２の動作を指示する機能のみを有するが、本発明はこれに限定されず、ディスプレイ装置の各種動作を指示するためのリモートコントローラに本発明に係るディスプレイ支持装置の動作を指示する機能を持たせる構成としても良い。
【０１０１】
また、ディスプレイ支持装置１００は、
一対のガイド部材１１１Ｌ・１１１Ｒを相対移動不能に固定するガイド固定部材１１２・１１３を具備する。
このように構成することにより、ディスプレイ支持装置１００の剛性が向上する。
また、ディスプレイ支持装置１００の剛性が向上することにより、一対のガイド部材１１１Ｌ・１１１Ｒが相対的にねじれたりすることを防止することが可能であり、ひいては摺動部材１２０がガイド部材１１１Ｌ・１１１Ｒの長手方向へ滑らかに摺動することが可能である。
【０１０２】
また、ディスプレイ支持装置１００の回動リンク機構１４０は、
一端が一対のガイド部材１１１Ｌ・１１１Ｒに回動可能に連結され、他端がディスプレイ装置１または壁２の他方（本実施形態では、ディスプレイ装置１）に回動可能に連結される回動アーム１４１Ｌ・１４１Ｒを有し、
駆動リンク機構１５０は、
一端が摺動部材１２０に回動可能に連結されるとともに他端が回動アーム１４１Ｌ・１４１Ｒとディスプレイ装置１または壁２の他方との連結部（本実施形態では、ピン１４５Ｌ・１４５Ｒが貫装される部分）に回動可能に連結される駆動アーム１５０Ｌ・１５０Ｒを有する。
このように構成することにより、簡素な構造で摺動部材１２０の動作（ガイド部材１１１Ｌ・１１１Ｒの長手方向への摺動）をディスプレイ装置１の姿勢変更（ディスプレイ装置１の画像表示面１ａの角度の変更）動作に変換することが可能である。
【０１０３】
本実施形態では駆動アーム１５０Ｌ・１５０Ｒを回動アーム１４１Ｌ・１４１Ｒとディスプレイ装置１との連結部に回動可能に連結する構成としたが、本発明はこれに限定されず、駆動アームの他端を回動アームの中途部に回動可能に連結しても良い。
【０１０４】
本実施形態では回動可能に連結された回動アームと駆動アームとの組み合わせを二組有する構成（回動アーム１４１Ｌと駆動アーム１５０Ｌとの組み合わせ、および回動アーム１４１Ｒと駆動アーム１５０Ｒとの組み合わせを有する構成）としたが、本発明はこれに限定されず、ディスプレイ装置の重量あるいは回動可能に連結された回動アームと駆動アームとの組み合わせの強度（耐荷重）によっては回動アームと駆動アームとの組み合わせを一組のみ有する構成としても良い。
【０１０５】
また、ディスプレイ支持装置１００の回動リンク機構１４０は、
回動アーム１４１Ｌ・１４１Ｒの他端（一対のガイド部材１１１Ｌ・１１１Ｒにそれぞれ連結されている方の端部の反対側の端部）に回動可能に連結されるとともにディスプレイ装置１または壁２の他方（本実施形態では、ディスプレイ装置１）に固定される第一ブラケット１４２Ｌ・１４２Ｒと、
一対のガイド部材１１１Ｌ・１１１Ｒにおいて回動アーム１４１Ｌ・１４１Ｒと異なる位置（本実施形態の場合、ガイド部材１１１Ｌ・１１１Ｒの下部）に回動可能かつ摺動可能に連結されるとともにディスプレイ装置１または壁２の他方（本実施形態の場合、ディスプレイ装置１）に固定される第二ブラケット１４３Ｌ・１４３Ｒと、
を有する。
このように構成することにより、簡素な構造で一対のガイド部材１１１Ｌ・１１１Ｒとディスプレイ装置１または壁２の他方（本実施形態の場合、ディスプレイ装置１）とを回動可能に連結することが可能である。
【０１０６】
また、ディスプレイ支持装置１００は、
ディスプレイ装置１の自重による回動リンク機構１４０の動作に伴って摺動部材１２０が摺動する方向の逆方向（本実施形態の場合、ガイド部材１１１Ｌ・１１１Ｒにおいてガイド固定部材１１３に接近する方向である下向き）に摺動部材１２０を付勢する摺動アシスト機構１９０を具備する。
このように構成することにより、ディスプレイ装置１の自重に逆らって摺動部材１２０、電動駆動ユニット１３０、回動リンク機構１４０および駆動リンク機構１５０を動作させるときに電動駆動ユニット１３０（より詳細には、電気式モータ１３２）にかかる負担を軽減することが可能である。
【０１０７】
また、ディスプレイ支持装置１００の摺動アシスト機構１９０は、
摺動部材１２０と一対のガイド部材１１１Ｌ・１１１Ｒとの間に介装されるスプリング１９１Ｌ・１９１Ｒを有する。
このように構成することにより、簡素な構造でディスプレイ装置１の自重による回動リンク機構１４０の動作に伴って摺動部材１２０が摺動する方向の逆方向に摺動部材１２０を付勢することが可能である。
なお、本実施形態ではスプリング１９１Ｌ・１９１Ｒの一端が摺動部材１２０に係止され、スプリング１９１Ｌ・１９１Ｒが直接的に摺動部材１２０を付勢する構成としたが、本発明はこれに限定されない。
すなわち、摺動アシスト機構が回動リンク機構または駆動リンク機構を所定の方向に付勢することにより、実質的にディスプレイ装置の自重による回動リンク機構の動作に伴って摺動部材が摺動する方向の逆方向に摺動部材を付勢する構成としても良い。
また、本実施形態のスプリングを他の弾性体（例えば、ゴムバンド）に置き換えても同様の効果を奏する。
【０１０８】
以下では、図７から図１１を用いて本発明に係るディスプレイ支持装置の回動リンク機構および駆動リンク機構の別実施形態について説明する。
図１から図６に示すディスプレイ支持装置１００は、ディスプレイ装置１の姿勢変更（ディスプレイ装置１の画像表示面１ａの角度の変更）を可能とするために、第二ブラケット１４３Ｌ・１４３Ｒに形成された貫通孔および一対のガイド部材１１１Ｌ・１１１Ｒに形成された長孔１１８Ｌ・１１８Ｌにピン１４６Ｌ・１４６Ｒを貫装し、第二ブラケット１４３Ｌ・１４３Ｒが一対のガイド部材１１１Ｌ・１１１Ｒに摺動可能に連結される構成であるが、本発明はこれに限定されない。
すなわち、図７から図１１に示す別実施形態の如く構成しても、ディスプレイ装置１の姿勢変更（ディスプレイ装置１の画像表示面１ａの角度の変更）が可能である。
【０１０９】
図７に示す別実施形態の回動リンク機構１４０は、
回動アーム１４１Ｌ・１４１Ｒの他端（一対のガイド部材１１１Ｌ・１１１Ｒにそれぞれ連結されている方の端部の反対側の端部）に回動可能に連結されるとともにディスプレイ装置１に固定される第一ブラケット１４２Ｌ・１４２Ｒと、
一対のガイド部材１１１Ｌ・１１１Ｒにおいて回動アーム１４１Ｌ・１４１Ｒと異なる位置（本実施形態の場合、ガイド部材１１１Ｌ・１１１Ｒの下部）に回動可能に連結されるとともに、摺動受け部材１４７Ｌ・１４７Ｒによりディスプレイ装置１に摺動可能に係合する第二ブラケット１４３Ｌ・１４３Ｒと、
を有する。
このように、ディスプレイ装置１と第二ブラケット１４３Ｌ・１４３Ｒとを摺動可能に係合する構成としても良い。
【０１１０】
図８に示す別実施形態の回動リンク機構１４０は、
長孔１４８Ｌ・１４８Ｒがそれぞれ形成され、ピン１４５Ｌ・１４５Ｒがそれぞれ長孔１４８Ｌ・１４８Ｒに貫装されることにより回動アーム１４１Ｌ・１４１Ｒの他端（一対のガイド部材１１１Ｌ・１１１Ｒにそれぞれ連結されている方の端部の反対側の端部）に回動可能かつ摺動可能に連結されるとともにディスプレイ装置１に固定される第一ブラケット１４２Ｌ・１４２Ｒと、
一対のガイド部材１１１Ｌ・１１１Ｒにおいて回動アーム１４１Ｌ・１４１Ｒと異なる位置（本実施形態の場合、ガイド部材１１１Ｌ・１１１Ｒの下部）に回動可能に連結されるとともにディスプレイ装置１に固定される第二ブラケット１４３Ｌ・１４３Ｒと、
を有する。
このように、回動アーム１４１Ｌ・１４１Ｒと第一ブラケット１４２Ｌ・１４２Ｒとを回動可能かつ摺動可能に連結する構成としても良い。
【０１１１】
図９に示す別実施形態の回動リンク機構１４０は、
回動アーム１４１Ｌ・１４１Ｒの他端（一対のガイド部材１１１Ｌ・１１１Ｒにそれぞれ連結されている方の端部の反対側の端部）に回動可能に連結されるとともに摺動受け部材１４９Ｌ・１４９Ｒによりディスプレイ装置１に摺動可能に係合する第一ブラケット１４２Ｌ・１４２Ｒと、
一対のガイド部材１１１Ｌ・１１１Ｒにおいて回動アーム１４１Ｌ・１４１Ｒと異なる位置（本実施形態の場合、ガイド部材１１１Ｌ・１１１Ｒの下部）に回動可能に連結されるとともにディスプレイ装置１に固定される第二ブラケット１４３Ｌ・１４３Ｒと、
を有する。
このように、ディスプレイ装置１と第一ブラケット１４２Ｌ・１４２Ｒとを摺動可能に係合する構成としても良い。
【０１１２】
図１０に示す別実施形態の回動リンク機構１４０は、
図５、図７、図８および図９に示す第二ブラケット１４３Ｌ・１４３Ｒを廃止する代わりに、ガイド部材１１１Ｌ・１１１Ｒの下部に回転可能に軸支されるとともにディスプレイ装置１の背面に当接するローラ１６５を有する。
このように、ディスプレイ装置１を回動アーム１４１Ｌ・１４１Ｒおよびローラ１６５で支持する構成としても良い。
【０１１３】
図１１に示す別実施形態の回動リンク機構１４０は、
一端が一対のガイド部材１１１Ｌ・１１１Ｒに回動可能に連結される第一回動アーム１６６Ｌ・１６６Ｒと、
一端が第一回動アーム１６６Ｌ・１６６Ｒの他端に回動可能に連結されるとともに他端がディスプレイ装置１に回動可能に連結される（より詳細には、ディスプレイ装置１に固定された第一ブラケット１４２Ｌ・１４２Ｒにピン１６８Ｌ・１６８Ｒにより回動可能に連結される）第二回動アーム１６７Ｌ・１６７Ｒと、
を有し、
図１１に示す別実施形態の駆動リンク機構１５０は、
一端が摺動部材１２０に回動可能に連結されるとともに他端が第一回動アーム１６６Ｌ・１６６Ｒと第二回動アーム１６７Ｌ・１６７Ｒとの回動連結部（ピン１４５Ｌ・１４５Ｒが貫装される部分）に回動可能に連結される駆動アーム１５０Ｌ・１５０Ｒを有する。
このように、回動リンク機構１４０が互いに回動可能に連結された二本のアームの組み合わせを有する構成でも良い。
【０１１４】
なお、図１１に示す別実施形態では駆動アーム１５０Ｌ・１５０Ｒを第一回動アーム１６６Ｌ・１６６Ｒと第二回動アーム１６７Ｌ・１６７Ｒとの回動連結部に回動可能に連結する構成としたが、駆動アーム１５０Ｌ・１５０Ｒを第一回動アーム１６６Ｌ・１６６Ｒの中途部に回動可能に連結する構成、あるいは駆動アーム１５０Ｌ・１５０Ｒを第二回動アーム１６７Ｌ・１６７Ｒの中途部に回動可能に連結する構成としても良い。
【０１１５】
以下では、図１２から図１５を用いて本発明に係るディスプレイ支持装置の摺動アシスト機構の別実施形態について説明する。
図１２、図１３および図１４に示す如く、別実施形態の摺動アシスト機構１９０は、
ディスプレイ装置１の自重による回動リンク機構１４０の動作に伴って摺動部材１２０が摺動する方向の逆方向（本実施形態の場合、ガイド部材１１１Ｌ・１１１Ｒにおいてガイド固定部材１１３に接近する方向である下向き）に摺動部材１２０を付勢するものである。
【０１１６】
別実施形態の摺動アシスト機構１９０は主として、プーリ支持部材１９２、プーリ１９３、ブラケット１９４、第一紐状体１９５、第二紐状体１９６、スプリング１９７およびブラケット１９８を有する。
【０１１７】
プーリ支持部材１９２は後で詳述するプーリ１９３を回転可能に軸支する部材である。
プーリ支持部材１９２は支持ブラケット１９２ａおよび回転軸１９２ｂを有する。
支持ブラケット１９２ａは金属板を曲折することにより製造される部材であり、底板および当該底板の左右端部より立設される左右の側板を有する。
支持ブラケット１９２ａはガイド固定部材１１２（ひいては一対のガイド部材１１１Ｌ・１１１Ｒ）に固定される。
回転軸１９２ｂは支持ブラケット１９２ａの左右の側板の間に軸架される円柱形状の部材である。
【０１１８】
プーリ１９３は本発明に係るプーリの実施の一形態である。
プーリ１９３は回転軸１９２ｂに貫装されることによりガイド固定部材１１２（ひいては一対のガイド部材１１１Ｌ・１１１Ｒ）に回転可能に軸支される。
プーリ１９３の外周には、第一端面１９３ａおよび第二端面１９３ｃが形成される。
【０１１９】
第一端面１９３ａはプーリ１９３が軸支される回転軸１９２ｂの周囲に巻き付いた螺旋状の曲面であり、プーリ１９３の外周の左半部に形成される。第一端面１９３ａは、回転軸１９２ｂからの距離が回転軸１９２ｂを中心とする回転角度により変化する。
第一端面１９３ａには、その長手方向に延びた溝である脱落防止溝１９３ｂが形成される。
【０１２０】
第二端面１９３ｃはプーリ１９３が軸支される回転軸１９２ｂの周囲に巻き付いたリング状の曲面であり、プーリ１９３の外周の右半部に形成される。第二端面１９３ｃは、回転軸１９２ｂからの距離が回転軸１９２ｂを中心とする回転角度によらず等しい。
第二端面１９３ｃには、その長手方向に延びた螺旋状の溝である脱落防止溝１９３ｄが形成される。
【０１２１】
ブラケット１９４はディスプレイ装置１の背面上部に固定される部材である。
【０１２２】
第一紐状体１９５は本発明に係る第一紐状体の実施の一形態である。
ここで、「紐状体」は細長く延びた形状を有し、折り曲げ方向に関しては柔軟性を有する（巻き取り可能である）が長手方向には延びない（あるいはほとんど延びない）ものを指す。
紐状体の例としては、金属製のワイヤー、樹脂製の糸、繊維材料を撚った糸、紐、ヤーン等が挙げられる。
第一紐状体１９５の一端はプーリ１９３の第一端面１９３ａにおいて最も回転軸１９２ｂからの距離が短くなる位置に固定される。第一紐状体１９５の中途部は脱落防止溝１９３ｂに嵌合する形で第一端面１９３ａに巻回される。第一紐状体１９５の他端はブラケット１９４に固定される。
第一紐状体１９５の中途部は脱落防止溝１９３ｂに嵌合するため、第一紐状体１９５が回転軸１９２ｂの軸線方向にずれて第一端面１９３ａから脱落することが防止される。
【０１２３】
第二紐状体１９６は本発明に係る第二紐状体の実施の一形態である。
第二紐状体１９６の一端はプーリ１９３の第二端面１９３ｃに形成された脱落防止溝１９３ｄの一端に対応する部分に固定される。第二紐状体１９６の中途部は脱落防止溝１９３ｄに嵌合する形で第二端面１９３ｃに巻回される。
第二紐状体１９６の中途部は脱落防止溝１９３ｄに嵌合するため、第二紐状体１９６が回転軸１９２ｂの軸線方向にずれて第二端面１９３ｃから脱落することが防止される。
【０１２４】
スプリング１９７は金属製の巻きバネである。スプリング１９７の一端は第二紐状体１９６の他端（プーリ１９３に固定されている端部とは反対側の端部）に固定される。
【０１２５】
ブラケット１９８はガイド固定部材１１３（ひいては、一対のガイド部材１１１Ｌ・１１１Ｒ）に固定される部材である。
ブラケット１９８にはスプリング１９７の他端（第二紐状体１９６が固定される端部の反対側の端部）が固定される。
【０１２６】
図１４に示す如く、ディスプレイ装置１が上方に回動している状態ではブラケット１９４がプーリ１９３に接近し、第一紐状体１９５の中途部の大半がプーリ１９３の第一端面１９３ａに巻回されている。
この状態では、第一紐状体１９５においてプーリ１９３の第一端面１９３ａに巻回されている部分とプーリ１９３の第一端面１９３ａに巻回されていない（第一端面１９３ａから離間している）部分との境界部分に対応する位置から回転軸１９２ｂまでの距離Ｒ１１が大きい。
【０１２７】
図１５に示す如く、ディスプレイ装置１が下方に回動している状態ではブラケット１９４がプーリ１９３から大きく離間し、第一紐状体１９５の中途部の大半がプーリ１９３から引き出された状態となる。
この状態では、第一紐状体１９５においてプーリ１９３の第一端面１９３ａに巻回されている部分とプーリ１９３の第一端面１９３ａに巻回されていない（第一端面１９３ａから離間している）部分との境界部分に対応する位置から回転軸１９２ｂまでの距離Ｒ１２が小さい（Ｒ１２＜Ｒ１１）。
【０１２８】
一方、第二紐状体１９６においてプーリ１９３の第二端面１９３ｃに巻回されている部分とプーリ１９３の第二端面１９３ｃに巻回されていない（第二端面１９３ｃから離間している）部分との境界部分に対応する位置から回転軸１９２ｂまでの距離は、ディスプレイ装置１の姿勢（画像表示面１ａの角度）の変化、ひいてはプーリ１９３の回転角度の変化によらず一定である（Ｒ２１＝Ｒ２２）。
【０１２９】
プーリ１９３には、第一紐状体１９５の張力（ディスプレイ装置１の自重）により、プーリ１９３を左側面視で時計回りに回転させようとする力（モーメント）が作用する。
また、プーリ１９３には、第一紐状体１９６の張力（スプリング１９７の弾性力）により、プーリ１９３を左側面視で反時計回りに回転させようとする力（モーメント）が作用する。
従って、プーリ１９３が静止している（回転していない）状態では、第一紐状体１９５の張力に起因する時計回りのモーメントと第一紐状体１９６の張力に起因する反時計回りのモーメントとがバランスする。
【０１３０】
図１４に示す状態（ディスプレイ装置１が上方に回動している状態）では、第一紐状体１９５においてプーリ１９３の第一端面１９３ａに巻回されている部分とプーリ１９３の第一端面１９３ａに巻回されていない部分との境界部分に対応する位置から回転軸１９２ｂまでの距離Ｒ１１は、第二紐状体１９６においてプーリ１９３の第二端面１９３ｃに巻回されている部分とプーリ１９３の第二端面１９３ｃに巻回されていない部分との境界部分に対応する位置から回転軸１９２ｂまでの距離Ｒ２１よりも大きい（Ｒ１１＞Ｒ２１）。
従って、第一紐状体１９５の張力Ｔ１１は、梃子の原理より第二紐状体１９６の張力Ｔ２１よりも小さい（Ｔ１１＜Ｔ２１｛＝（Ｒ２１／Ｒ１１）×Ｔ１１｝）。
【０１３１】
図１５に示す状態（ディスプレイ装置１が下方に回動している状態）では、第一紐状体１９５においてプーリ１９３の第一端面１９３ａに巻回されている部分とプーリ１９３の第一端面１９３ａに巻回されていない部分との境界部分に対応する位置から回転軸１９２ｂまでの距離Ｒ１２は、第二紐状体１９６においてプーリ１９３の第二端面１９３ｃに巻回されている部分とプーリ１９３の第二端面１９３ｃに巻回されていない部分との境界部分に対応する位置から回転軸１９２ｂまでの距離Ｒ２２よりも小さい（Ｒ１２＜Ｒ２２）。
従って、第一紐状体１９５の張力Ｔ１２は、梃子の原理より第二紐状体１９６の張力Ｔ２２よりも大きい（Ｔ１２＞Ｔ２２｛＝（Ｒ２２／Ｒ１２）×Ｔ１２｝）。
【０１３２】
また、ディスプレイ装置１が下方に向かって回動すると第二紐状体１９６がプーリ１９３の第二端面１９３ｃに巻き取られるため、その分だけスプリング１９７が伸び、スプリング１９７の弾性力に起因する第二紐状体１９６の張力は大きくなる（Ｔ２２＞Ｔ２１）。
【０１３３】
その結果、ディスプレイ装置１が下方に向かって回動し、ディスプレイ装置１の自重による電動駆動ユニット１３０の負荷が大きくなるほど第一紐状体１９５の張力も大きくなる（Ｔ１２＞Ｔ２２＞Ｔ２１＞Ｔ１１）。
そのため、電動駆動ユニット１３０が摺動部材１２０を摺動する際の負荷を軽減することが可能である。
【０１３４】
以上の如く、別実施形態の摺動アシスト機構１９０は、
回転軸１９２ｂにより一対のガイド部材１１１Ｌ・１１１Ｒに回転可能に軸支されるとともに、回転軸１９２ｂからの距離が回転軸１９２ｂを中心とする回転角度により変化する第一端面１９３ａおよび回転軸１９２ｂからの距離が回転軸１９２ｂを中心とする回転角度によらず等しい第二端面１９３ｃが形成されるプーリ１９３と、
一端がプーリ１９３に固定され、中途部がプーリ１９３の第一端面１９３ａに巻回され、他端がディスプレイ装置１に固定される第一紐状体１９５と、
一端がプーリ１９３に固定され、中途部がプーリ１９３の第二端面１９３ｃに巻回される第二紐状体１９６と、
一端が第二紐状体１９６の他端に固定され、他端が一対のガイド部材１１１Ｌ・１１１Ｒに固定されるスプリング１９７と、
を有する。
このように構成することにより、ディスプレイ装置１の自重による電動駆動ユニット１３０の負荷が大きくなるほど第一紐状体１９５の張力も大きくなるので、電動駆動ユニット１３０が摺動部材１２０を摺動する際の負荷を軽減することが可能である。
【０１３５】
また、別実施形態の摺動アシスト機構１９０のプーリ１９３の第二端面１９３ｃは螺旋状に形成される。
このように構成することにより、プーリ１９３を小型化することが可能である。
【図面の簡単な説明】
【０１３６】
【図１】本発明に係るディスプレイ支持装置の実施の一形態の使用状態を示す斜視図。
【図２】本発明に係るディスプレイ支持装置の実施の一形態を示す斜視図。
【図３】同じく本発明に係るディスプレイ支持装置の実施の一形態を示す斜視図。
【図４】本発明に係る電動駆動ユニットの実施の一形態を示す断面図。
【図５】ディスプレイ装置の画像表示面が上方に回動した状態を示す左側面図。
【図６】ディスプレイ装置の画像表示面が下方に回動した状態を示す左側面図。
【図７】本発明に係る回動リンク機構および駆動リンク機構の別実施形態を示す左側面図。
【図８】同じく本発明に係る回動リンク機構および駆動リンク機構の別実施形態を示す左側面図。
【図９】同じく本発明に係る回動リンク機構および駆動リンク機構の別実施形態を示す左側面図。
【図１０】同じく本発明に係る回動リンク機構および駆動リンク機構の別実施形態を示す左側面図。
【図１１】同じく本発明に係る回動リンク機構および駆動リンク機構の別実施形態を示す左側面図。
【図１２】本発明に係る摺動アシスト機構の別実施形態を示す斜視図。
【図１３】本発明に係る摺動アシスト機構の別実施形態におけるプーリの斜視図。
【図１４】本発明に係る摺動アシスト機構の別実施形態を示す左側面断面図。
【図１５】同じく本発明に係る摺動アシスト機構の別実施形態を示す左側面断面図。
【符号の説明】
【０１３７】
１                    ディスプレイ装置
２                    壁（構造体）
１００                ディスプレイ支持装置
１１１Ｌ・１１１Ｒ    一対のガイド部材
１２０                摺動部材
１３０                電動駆動ユニット
１４０                回動リンク機構
１５０                駆動リンク機構
【図１】
2009147861.tif 000003
【図２】
2009147861.tif 000004
【図３】
2009147861.tif 000005
【図４】
2009147861.tif 000006
【図５】
2009147861.tif 000007
【図６】
2009147861.tif 000008
【図７】
2009147861.tif 000009
【図８】
2009147861.tif 000010
【図９】
2009147861.tif 000011
【図１０】
2009147861.tif 000012
【図１１】
2009147861.tif 000013
【図１２】
2009147861.tif 000014
【図１３】
2009147861.tif 000015
【図１４】
2009147861.tif 000016
【図１５】
2009147861.tif 000017